(57)【特許請求の範囲】
【請求項１】
一方の側面が部品装着側であり且つ他方の側面が解放側であってこの解放側から前記部品装着側に部品装着が行われる第１のケースと、前記第１のケースの解放側に係脱可能に係止して前記解放側を覆う第２のケースとを有し、前記第１のケースの前記部品装着側に壁部を立設し、この壁部により囲まれた複数の端子台装着部を設け、これら端子台装着部は前記第１のケースの軸線イを対称軸として線対称に配置されており、且つ、前記端子台装着部に端子脚を有する端子台を装着し、前記端子台を、端子台本体に複数の端子を設け、これら端子の端子脚部を、それぞれの中間部において直角に屈曲して構成し、前記第１のケースの前記部品装着部側に、前記端子台装着部に装着された前記端子台の前記端子脚部を保持する端子保持部を設け、更に、前記第１のケースの前記解放側に基板ユニットを装着して前記基板ユニットを前記端子脚部に接続するようにしたことを特徴とする制御機器の端子台取付構造。
【発明の詳細な説明】
【０００１】
【発明の属する技術分野】
本発明は、タイマなどの制御盤内にＤＩＮレールを用いて、または直接、制御盤の内側に取り付けられる薄型の制御機器の端子台取付構造に関するものである。
【０００２】
【従来の技術】
この種の制御機器は、通常ＤＩＮレール上に複数個を横に並べて取り付けて使用される。そのために、外形的に幅方向の寸法は２２．５ｍｍと規格で決まっており、高さ、長さ方向も業界で暗黙のうちに同じ寸法が採用されている。
【０００３】
この制御機器は、上記のような市場背景から、取付状態で正面から見える幅２２．５ｍｍ×高さ７５ｍｍの寸法の中にいかにうまく端子台、操作部及び表示部を配置して操作性・視認性を上げるかがキーポイントになっている。
【０００４】
また、構造全体から見ると、いかに組立て易くするか、いかに部品点数を減らして材料費を安くするかという課題となっており、各社ともこの２つの項目をいかにバランスよく達成するかに凌ぎを削っている。
【０００５】
従来の制御機器は、図１５に示すようにメインの電子部品を実装した基板２００に、端子台２０１及びこの端子台２０１と基板２００とを接続するための出力基板２０２、表面から設定を行うためのスイッチ２０３、ボリューム２０４などを実装した操作基板２０５などを取り付け、前記基板２００の水平方向から前後２部品に別れた第１、第２のケース２０６、２０７を被せることで組立てることが一般的であった。
【０００６】
特に、組立工程としては、図１６に示すように出力基板２０２に端子台２０１を半田付けしてから主基板２００に組み付け、最終的に第１、第２のケース２０６、２０７に挿入しており、出力基板２０２に端子台２０１の成形品部分が接触していなければ組み立てられないものであった。
【０００７】
【発明が解決しようとする課題】
しかしながら、上記した従来の制御機器の端子台取付構造にあっては、ねじ回転工具（ドライバー）でねじ２０８を回転させて、外部結線を行うのであるが、この外部結線する場合のねじ回転工具の締付けトルクＴや、結線後に、そのリード線を引っ張る外力Ｓを受けると、端子台２０１の端子脚２０１ａの出力基板２０２への半田付け部にクラック等が生じるという問題点があった。
【０００８】
また、端子台２０１としては、出力基板２０２に対してガタツキ無しに接続する必要があるために、図１７及び図１８に示すように端子脚２０１ａをインサート成形により端子台２０１の絶縁ハウジング２０１ｂに設けられる場合があって、部品コストが高価になるという問題点があった。
【０００９】
本発明は、上記の問題点に着目して成されたものであって、その目的とするところは、外部結線する場合のねじ回転工具の締付けトルクや、結線後に、そのリード線を引っ張る外力を受けても、端子台の基板ユニットへの半田付け部にクラック等が生じることがないし、また、端子脚をインサート成形により端子台に設けことがなくなり、部品コストを低減することができる制御機器の端子台取付構造を提供することにある。
【００１０】
【課題を解決するための手段】
上記の目的を達成するために、請求項１の発明に係わる制御機器の端子台構造は、一方の側面が部品装着側であり且つ他方の側面が解放側であってこの解放側から前記部品装着側に部品装着が行われる第１のケースと、前記第１のケースの解放側に係脱可能に係止して前記解放側を覆う第２のケースとを有し、前記第１のケースの前記部品装着側に壁部を立設し、この壁部により囲まれた複数の端子台装着部を設け、これら端子台装着部は前記第１のケースの軸線イを対称軸として線対称に配置されており、且つ、前記端子台装着部に端子脚を有する端子台を装着し、前記端子台を、端子台本体に複数の端子を設け、これら端子の端子脚部を、それぞれの中間部において直角に屈曲して構成し、前記第１のケースの前記部品装着部側に、前記端子台装着部に装着された前記端子台の前記端子脚部を保持する端子保持部を設け、更に、前記第１のケースの前記解放側に基板ユニットを装着して前記基板ユニットを前記端子脚部に接続するようにしたことを特徴とする。
【００１１】
かかる構成により、解放側から端子台を端子台装着部に装着し、第１のケースに基板ユニットを装着して、この基板ユニットを端子台の端子脚に接続することができる。
【００１２】
このように、端子台の成形部分が基板ユニットに接触していなくても、端子台を第１のケースの部品装着側に組み付けることができるので、外部結線する場合のねじ回転工具の締付けトルクや、結線後に、そのリード線を引っ張る外力を受けても前記端子脚が撓むことにより、端子台の基板ユニットへの半田付け部にクラック等が生じることがない。
【００１３】
また、端子台の成形部分が基板ユニットに接触していなくても、端子台を第１のケースの部品装着側に組み付けることができるので、端子台としては、基板に対してガタツキ無しに接続する必要がなく、端子脚をインサート成形により端子台に設けことがなくなり、部品コストを低減することができる。
【００１５】
また、かかる構成により、解放側から端子台を端子台装着部に装着すると共に、端子台の端子の端子脚部を端子脚保持部で保持することができて、端子台の装着をより確実に行うことができる。
【００１８】
【発明の実施の形態】
以下、本発明の実施の形態を図面に基づいて説明する。図１の（１）は本発明に係わる端子台取付構造を備えた制御機器の上面図、図１の（２）は同制御機器の左側面図、図１の（３）は同制御機器の下面図、図２の（１）は同制御機器の正面図、図２の（２）は同制御機器の後面図、図３は同制御機器の分解状態の斜視図である。なお、図面においてＸ−Ｘ１が左右方向、Ｙ−Ｙ１が前後方向、Ｚ−Ｚ１が上下方向である。
【００１９】
本発明に係わる端子台取付構造を備えた制御機器は、第１のケース１と、第２のケース２と、第１、第２のケース１、２から成るハウジング３内に収納される内部機器４とから大略構成してある。そして、内部機器４は第１、第２、第３の端子台５、６、７と、フロントモジュール８と、プリント基板９Ａに多数の電子部品を実装してなる基板ユニット９とから大略構成してある。そして、制御機器の前面には、その中央部に位置して操作部４００が、この操作部４００を挟んだ上下に上、下側端子台部４０１、４０２、４０３がそれぞれ設けてあり、制御機器の後面にはレール係合部４２が設けてある。
【００２０】
第１のケース１は、図４乃至図７に示すように略四角形状のケース本体１ー１を備えており、このケース本体１ー１は側面部（右側面部）１Ａと、この側面部１Ａの上、下縁部に形成された上、下側壁部１Ｂ、１Ｃと、側面部１Ａの後縁部に形成さられて上、下側壁部１Ｂ、１Ｃに連なる後壁部１Ｄとから構成してある。そして、ケース本体１ー１の左側面が解放してあり、ケース本体１ー１の前面側には機器ユニット装着部１０が形成してある。
【００２１】
この機器ユニット装着部１０は、ケース本体１−１の側面部１Ａの延長である側面部１０Ａと、この側面部１０Ａの上、下縁部に形成された上、下側片部１０Ｂ、１０Ｃと、側面部１０Ａの後部に形成された仕切り壁部１０Ｄとを有しており、上、下側片部１０Ｂ、１０Ｃは仕切り壁部１０Ｄから切り離されていて、上、下側片部１０Ｂ、１０Ｃのそれぞれの内面部の先端側には係合突起部１１が形成してあって、これらで係止手段を構成している。
【００２２】
前記第１のケース１の上側壁部１Ｂの前部内側には第１の端子台装着部１３が形成してある。この第１の端子台装着部１３は、外壁部１４と、内壁部１５と、内、外壁部１５、１４に連なる後壁部１６とにより囲まれた側面視で長方形状を成しており、第１の端子台装着部１３の軸線ロは、第１のケース１の軸線イに対して斜め上方に沿うように所定の角度を有している。そして、第１の端子台装着部１３の前面は解放されていて端子台表出窓部３２に成されており、この端子台表出窓部３２は前記機器ユニット装着部１０の上方に位置している。
【００２３】
そして、前記外壁部１４は、上側壁部１Ｂの前端に形成された外側保持壁部１４Ａと、この外側保持壁部１４Ａに切欠きより成るリード線導出部１４Ｂを介して並んだ支持柱部１４Ｃとより形成してあり、外側保持壁部１４Ａと後壁部１６とが成す角部には傾斜面部１７が形成してある。また、支持柱部１４Ｃの内面には、端面１４ａに抜ける断面台形で且つアリ溝状の係合溝部１８が形成してある。
【００２４】
また、前記内壁部１５は、その中間部に係止片部１９を有しており、この係止片部１９の内面部の先側には係止突起部２０が形成してあって、これらで係止手段を構成している。また、内壁部１５の内面部には第１の支持柱係合部２１が形成してある。この第１の支持柱係合部２１は、内壁部１５の内面部に左右方向に形成された溝部２２と、内壁部１５の内面部に、前記溝部２２を挟むようにして形成された一対の案内枠部２３、２４とを有しており、前記溝部２２の奥には係合突起部２５が形成してある。
【００２５】
また、前記後壁部１６の中央部には切欠き部よりなる端子脚挿入部２６が形成してある。そして、この後壁部１６と内壁部１５とが成す角部の端面と内壁部１５の前端部の端面とがそれぞれコーナー当接部２７、２８に成されている。また、前記端子脚挿入部２６は、第１の端子台装着部１３の軸線ロ上に位置しており、この軸線ロの延長上には端子脚保持部２９が設けてある。この端子脚保持部２９は、前記ケース本体１ー１の内面に形成された一対の片状部３０間の保持溝３１で構成してある。
【００２６】
また、前記第１のケース１の下側壁部１Ｃの前部内側には第２の端子台装着部３３と第３の端子台装着部３４とが形成してある。この第２の端子台装着部３３は、第１のケース１の軸線イを対称軸にして、前記第１の端子台装着部１３と線対称を成しており、その構成は、第１の端子台装着部１３と同じ構成である。したがって、第１の端子台装着部１３と同じ部品については、その部品の符号に（−１）を加えて説明を省略する。
【００２７】
なお、第２の端子台装着部３３の後壁部１６−１の面の延長上に、この後壁部１６−１に連なって位置決めピン３５が設けてある。また、前記端子脚挿入部２６−１は、第２の端子台装着部３３の軸線ロ−１上に位置しており、この軸線ロ−１の延長上には端子脚保持部２９−１が設けてある。この端子脚保持部２９−１は、前記ケース本体１ー１の内面に形成された一対の片状部３０−１間の保持溝３１−１で構成してある。そして、第２の端子台装着部３３の前面は解放されていて端子台表出窓部３２ー１に成されており、この端子台表出窓部３２ー１は前記機器ユニット装着部１０の下方に位置している。
【００２８】
第３の端子台装着部３４は、前記第２の端子台装着部３３の後方で且つより外方に位置しており、その構成は、第１の端子台装着部１３と同じ構成である。したがって、第１の端子台装着部１３と同じ部品については、その部品の符号に（−２）を加えて説明を省略する。
【００２９】
また、前記端子脚挿入部２６−２は、第３の端子台装着部３４の軸線ロ−２上に位置しており、この軸線ロ−２の延長上には端子脚保持部２９−２が設けてある。この端子脚保持部２９−２は、前記ケース本体１ー１の内面に形成された一対の片状部３０−２間の保持溝３１−２で構成してある。そして、第３の端子台装着部３４の前面は解放されていて端子台表出窓部３２ー２に成されており、この端子台表出窓部３２ー２は前記第２の端子台装着部３３の下方に段部を形成した状態で位置している。
【００３０】
そして、第２の端子台装着部３３の内壁部１５−１の外面側、第１のケース１の上側壁部１Ｂの内面部の後側、下側壁部１Ｃの内面部及び後壁部１Ｄの内面部の中央に、第２、第３、第４、第５の支持柱係合部２１−１、３６、３７、３８が形成してある。これらの支持柱係合部３６、３７、３８は、上記した支持柱係合部２１と同構成であって、内面部に左右方向に形成された溝部２２と、内面部に、前記溝部２２を挟むようにして形成された一対の案内枠部２３、２４とを有しており、前記溝部２２の奥には係合突起部２５が形成してある。
【００３１】
また、第１のケース１の後壁部１Ｄの上部は切り欠かれていて、この切欠き部４０には位置決めピン４１が形成してある。
【００３２】
また、第１のケース１の後壁部１Ｄの外側にはレール係合部４２が形成してある。このレール係合部４２は後壁部１Ｄの外面部に一体に形成された上側レールフック部４３と、レールフック体４５が着脱可能な下側レールフック部４４とより構成してある。そして、このレールフック体４５の係合フック１５１は、上側レールフック部４３の係合フック４６に対向しており、また、レールフック体４５は、ばね部１５３の撓みの範囲で上下動が可能になっている。
【００３３】
第２のケース２は、図８乃至図１０に示すように板状のケース本体５１を備えており、このケース本体５１は第１のケース１Ａの形状と略同じ形状を成している。このケース本体５１の内面部には、このケース本体５１の軸線ハを挟んだ対称位置に第１、第２の係合柱体５２、５３が、また、ケース本体５１の内面部には、このケース本体５１の上、下側縁部５１ａ、５１ｂの後半部及び後縁部５１ｃにかけて嵌合用壁部７０が形成してあり、この嵌合用壁部７０の上、下側部位には第３、第４の係合柱体５４、５５が、後側部位には第５の係合柱体５６がそれぞれ突出形成してある。
【００３４】
これらの第１〜第５の係合柱体５２、５３、５４、５５、５６は、その柱本体５７の先部に幅狭の挿入部５８を形成し、この挿入部５８の先側に係合フック６２を形成すると共に、この挿入部５８の柱本体５７と挿入部５８との間に段部５８Ａを形成して構成してある。そして、前記挿入部５８の幅寸法Ｂ１は、前記第１〜第５の支持柱係合部２１、２１−１、３６、３７、３８の一対の案内枠部２３、２４間の隙間２４Ａの寸法Ｂ２より小さいものであり、柱本体５７の幅寸法Ｂ３は隙間２４Ａの寸法Ｂ２より大きくしてある。
【００３５】
また、ケース本体５１の前側縁部５１ｄにはリブ状の３つの係合突起部５９、６０、６１が形成してあり、また、ケース本体５１の上側縁部５１ａの前側には第１の係合部６３が、ケース本体５１の下側縁部５１ｂには第２、第３の係合部６４、６５がそれぞれ設けてある。これら第１、第２、第３の係合部６３、６４、６５は断面台形にしてある。また、ケース本体５１の、第１のケース１の第１の端子台装着部１３に対向する部位の内面部には、コーナー用突起部６６と、第１の端子台５の端面に当接する当接部６８、６９とがそれぞれ形成してある。
【００３６】
また、ケース本体５１の、第１のケース１の第２の端子台装着部３３に対向する部位の内面部には、コーナー用突起部６６−１と、第２の端子台６の端面の凸条７９が挿入される挿入溝部６７−１と、第２の端子台６の端面に当接する当接部６８−１、６９−１とがそれぞれ形成してあり、また、ケース本体５１の、第１のケース１の第３の端子台装着部３４に対向する部位の内面部には、コーナー用突起部６６−２と、第３の端子台７の端面７１ｃの凸条７９が挿入される挿入溝部６７−２と、第２の端子台６の端面７１ｃに当接する当接部６８−２、６９−２とがそれぞれ形成してある。
【００３７】
第１の端子台５は、図１１の（１）〜（４）に示すように絶縁ブロック状の端子台本体７１を備えており、この端子台本体７１には第１、第２、第３の端子７４、７５、７６が縦に並べて設けてあり、これら第１、第２、第３の端子７４、７５、７６の端子脚部７４Ａ、７５Ａ、７６Ａは端子台本体７１の後端部より外方に突出しており、各端子脚部７４Ａ、７５Ａ、７６Ａは、それぞれの中間部において直角に屈曲してあり、これらの屈曲端部７４Ｂ、７５Ｂ、７６Ｂは端子台本体７１の一方の端面部７１ｃを含む平面内にほぼ位置している。
【００３８】
そして、前記端子台本体７１の前端面部７１ａには３個の操作部であるねじ操作部７２Ａ、７２Ｂ、７２Ｃが形成してあり、また、端子台本体７１の外面部７１ｂには３個のリード線接続部７３Ａ、７３Ｂ、７３Ｃが形成してある。そして、ねじ操作部７２Ａ、７２Ｂ、７２Ｃには操作ねじ７７Ａ、７７Ｂ、７７Ｃが設けてあって、これらの操作ねじ７７Ａ、７７Ｂ、７７Ｃを回転操作することにより、リード線接続部７３Ａ、７３Ｂ、７３Ｃ内において、リード線把持部材７８Ａ、７８Ｂ、７８Ｃが移動してリード線の把持を行なうようになっている。
【００３９】
また、第２、第３の端子台６、７は、図１２の（１）〜（３）に示すように上記した第１の端子台５と同構成ではあるが、その端子台本体７１の向きが、第１の端子台５に対して線対称に成されており、一方の端面部７１ｃが第１のケース１側に位置するようになり、各端子脚部７４Ａ、７５Ａ、７６Ａの屈曲端部７４Ｂ、７５Ｂ、７６Ｂは端子台本体７１の他方の端面部７１ｄを含む平面内にほぼ位置するようになる。
【００４０】
したがって、第１の端子台５では、一方の端面部７１ｄが第１のケース１の解放側に位置し、第２、第３の端子台６、７では、他方の端面部７１ｃが第１のケース１の解放側に位置するようになる。そして、第２、第３の端子台６、７の他方の端面部７１ｄには２条の凸条７９が形成してある。また、第１、第２、第３の端子台５、６、７の端子台本体７１の外面部７１ｂの後縁部は斜面部７９Ａに成されており、また、端子台本体７１の内面部７１ｅには係止溝部８０が形成してある。
【００４１】
前記フロントモジュール８は、図１３及び図１４に示すようにスイッチベース部材８１と、フロントカバー部材８２と、電子部品を実装したプリント基板８３とを備えている。そして、前記スイッチベース部材８１の面部の第１、第２のスイッチ保持用筒部８５、８６に、第１、第２のスイッチ１３０、１３１の軸部１３０Ａ、１３１Ａを回転可能に挿入貫通して、これら軸部１３０Ａ、１３１Ａの貫通端部の小径部１３０Ｂ、１３１Ｂに摺動子１３２、１３３が装着してある。なお、第１、第２のスイッチ１３０、１３１の軸部１３０Ａ、１３１Ａの端部にはフランジ１３０Ｃ、１３１Ｃが形成してあり、これらのフランジ１３０Ｃ、１３１Ｃの中心には、回転工具が係合するための十字溝１３０Ｄ、１３１Ｄが形成してある（図２参照）。
【００４２】
また、第１、第２のモード切換スイッチ保持用筒部８７、８８に、第１、第２のモード切換スイッチ１３４、１３６の軸部１３４Ａ、１３６Ａを回転可能に挿入貫通して、これら軸部１３４Ａ、１３６Ａの貫通端部の小径部１３４Ｂ、１３６Ｂに摺動子１３７、１３８が装着してある。そして、第１、第２のモード切換スイッチ１３４、１３６の軸部１３４Ａ、１３６Ａの端部にはギヤ１４０、１４１が設けてあって、ギヤ１４０、１４１は互いに噛み合っている。なお、ギヤ１４０の中心には、回転工具が係合するための十字溝１４０Ｄが形成してある（図２参照）。
【００４３】
上記のように第１、第２のスイッチ１３０、１３１及び第１、第２のモード切換スイッチ１３４、１３６を組み付けたスイッチベース部材８１に、前記フロントカバー部材８２が組み付けてあり、この状態では、第１、第２のモード切換スイッチ１３４、１３６の軸端のフランジ１３０Ｃ、１３１Ｃは、前記フロントカバー部材８２の第１、第２のスイッチ用窓部１０３、１０４に対向して十字溝１３０Ｄ、１３１Ｄが第１、第２のスイッチ用窓部１０３、１０４内に位置し、また、第１のモード切換スイッチ１３４の軸端のギヤ１４０は第１のモード切換スイッチ操作用窓部１０５に対向して十字溝１４０Ｄが第１のモード切換スイッチ操作用窓部１０５内に位置し、また、第２のモード切換スイッチ１３６の軸端のギヤ１４１は第２のモード切換スイッチ用窓部１０６に対向し、ダイヤル用孔部８９がダイヤル用孔部１０７に対向している。また、一対の導光部９２Ａ、９２Ｂが一対の表示用窓部１０８Ａ、１０８Ｂに挿入される。
【００４４】
そして、電子部品を実装したプリント基板８３の上下の係止部１２１、１２２を、フロントカバー部材８２の一方及び他方の取付片部１０１Ａ、１０１Ｂの係止孔１１５、１１９に係止して、前記プリント基板８３がフロントカバー部材８２に組み込まれており、摺動子１３２、１３３、１３７、１３８が、それぞれ該当する導電パターン（図示せず）に摺接している。そして、ダイヤル用孔部８９、１０７に設定ボリューム用の電子部品１２９が挿入してあって、この電子部品１２９にダイヤル１４２が取り付けてあるし、また、発光ダイオード１２８Ａ、１２８Ｂが一対の導光部９２Ａ、９２Ｂの端部に当接している。
【００４５】
また、基板９Ａに多数の電子部品を実装して成る基板ユニット９は、前記第１のケース１の解放側の形状に似せてあり、第１のケース１のコーナー当接部２７、２８に当接する当接部１４４、１４５と、第１のケース１の位置決めピン３５、４１が挿入される位置決め孔部１４６、１４７とが設けてある。
【００４６】
次に、本発明に係わる制御機器の組み立てを説明する。
まず、第１のケース１の第１の端子台装着部１３に第１の端子台５が、第２の端子台装着部３３に第２の端子台６が、第３の端子台装着部３４に第３の端子台７がそれぞれ装着される。すなわち、第１の端子台５を第１の端子台装着部１３に挿入すると、この端子台装着部１３の内壁部１５の係止片部１９の係止突起部２０が、第１の端子台５の内面部の係止溝部８０に係止され、また、第１の端子第５の端子７６の端子脚部７６Ａが端子脚保持部２９の保持溝３１に挿入保持される。第１の端子台５の、３個のねじ操作部がある前端面部７１ａが端子台表出窓部３２に位置しており、第１の端子台５の外面部７１ｂのリード線接続部７３Ａ、７３Ｂ、７３Ｃがリード線導出部１４Ｂより表出している。
【００４７】
また、第２の端子台６の第２の端子台装着部３３への装着及び第３の端子台７の第３の端子台装着部３４への装着も、上記した第１の端子台５の第１の端子台装着部１３への装着と同様にして行なわれる。
【００４８】
次に、機器ユニット装着部１０にフロントモジュール８が装着される。この場合、上、下側片部１０Ｂ、１０Ｃの係合突起部１１がフロントモジュール８に係止する。この場合、フロントモジュール８の前面部が前方に位置し操作部４００の大略が構成される。
【００４９】
次に、前記基板ユニット９を第１のケース１の解放側に嵌合して、第１のケース１の位置決めピン３５、４１を位置決め孔部１４６、１４７に挿入する。この場合、第１、第２、第３の端子台５、６、７の第１、第２、第３の端子脚部７４Ａ、７５Ａ、７６Ａの屈曲端部７４Ｂ、７５Ｂ、７６Ｂがプリント基板９のスルーホール１５０、１５１、１５２に挿入されて半田付けされるし、前記フロントモジュール８のプリント基板８３が基板ユニット９の基板９Ａに半田ブリッジで接続される。
【００５０】
次に、第２のケース２を第１のケース１に装着する。すなわち、第２のケース２の第１〜第５の係合柱体５２、５３、５４、５５、５６を第１のケース１の第１〜第５の柱係合部２１、２１−１、３６、３７、３８に挿入し、これらの第１〜第５の係合柱体５２、５３、５４、５５、５６の柱本体５７の先部の幅狭の挿入部５８を、第１〜第５の柱係合部２１、２１−１、３６、３７、３８の内壁部１５の溝部２２に沿わせる。この状態で、第２のケース２を押し込むと、挿入部５８の先端の係合フック６２が係合突起部２５を乗り越え、この係合突起部２５に係合する。係合フック６２が係合突起部２５を乗り越える時に、挿入部５８は、一対の案内枠部２３、２４間の隙間２４Ａから外部に出るが、係合フック６２が係合突起部２５に係合すると、第１〜第５の柱係合部２１、２１−１、３６、３７、３８の幅広な柱本体５７が一対の案内枠部２３、２４内に挿入され、この柱本体５７が一対の案内枠部２３、２４により拘束される。
【００５１】
この場合、第１、第２、第３の係合部６３、６４、６５が支持柱部１４Ｃ、１４Ｃ−１、１４Ｃ−２の係合溝部１８、１８−１、１８−２に挿入されて係合して、第２のケース２が第１、第２、第３の端子台５、６、７を横から押さえる。
【００５２】
上記のように構成された制御機器は、図３に示すように、その第１のケース１の後壁部１Ｄに設けたレール係合部４２の上側レールフック部４３と、下側レールフック部４４とでレール部材５００を挟みつけることにより、このレール部材５００に装着される。
【００５３】
上記した実施の形態例によれば、解放側から第１、第２、第３の端子台５、６、７を第１、第２、第３の端子台装着部１３、３３、３４に装着し、第１のケース１に基板ユニット９を装着して、この基板ユニット９のプリント基板９Ａを第１、第２、第３の端子台５、６、７の第１、第２、第３の端子脚部７４Ａ、７５Ａ、７６Ａに半田付けすることができる。
【００５４】
このように、第１、第２、第３の端子台５、６、７の成形部分が基板ユニット９に接触していなくても、第１、第２、第３の端子台５、６、７を第１のケース１の部品装着側に組み付け（装着）することができるので、外部結線する場合のねじ回転工具の締付けトルクや、結線後に、そのリード線を引っ張る外力を受けても前記端子脚が撓むことにより、第１、第２、第３の端子台５、６、７の第１、第２、第３の端子脚部７４Ａ、７５Ａ、７６Ａの基板ユニット９のプリント基板９Ａへの半田付け部にクラック等が生じることがない。
【００５５】
また、第１、第２、第３の端子台５、６、７の成形部分が基板ユニット９に接触していなくても、第１、第２、第３の端子台５、６、７を第１のケース１の部品装着側に組み付けることができるので、端子台としては、出力基板に対してガタツキ無しに接続する必要がなく、端子脚をインサート成形により端子台に設けことがなくなり、部品コストを低減することができる。
【００５６】
【発明の効果】
以上説明したように本発明に係わる制御機器の端子台構造によれば、一方の側面が部品装着側であり且つ他方の側面が解放側であってこの解放側から前記部品装着側に部品装着が行われる第１のケースと、前記第１のケースの解放側に係脱可能に係止して前記解放側を覆う第２のケースとを有し、前記第１のケースの前記部品装着側に壁部を立設し、この壁部により囲まれた複数の端子台装着部を設け、これら端子台装着部は前記第１のケースの軸線イを対称軸として線対称に配置されており、且つ、前記端子台装着部に端子脚を有する端子台を装着し、前記端子台を、端子台本体に複数の端子を設け、これら端子の端子脚部を、それぞれの中間部において直角に屈曲して構成し、前記第１のケースの前記部品装着部側に、前記端子台装着部に装着された前記端子台の前記端子脚部を保持する端子保持部を設け、更に、前記第１のケースの前記解放側に基板ユニットを装着して前記基板ユニットを前記端子脚部に接続するようにしたことにより、解放側から端子台を端子台装着部に装着し、第１のケースに基板ユニットを装着して、この基板ユニットを端子台の端子脚部に接続することができる。
【００５７】
このように、端子台の成形部分が基板ユニットに接触していなくても、端子台を第１のケースの部品装着側に組み付けることができるので、外部結線する場合のねじ回転工具の締付けトルクや、結線後に、そのリード線を引っ張る外力を受けても前記端子脚が撓むことにより、端子台の基板ユニットへの半田付け部にクラック等が生じることがない。
【００５８】
また、端子台の成形部分が基板ユニットに接触していなくても、端子台を第１のケースの部品装着側に組み付けることができるので、端子台としては、基板に対してガタツキ無しに接続する必要がなく、端子脚をインサート成形により端子台に設けることがなくなり、部品コストを低減することができる。
【００５９】
また、解放側から端子台を端子台装着部に装着すると共に、端子台の端子の前記端子脚部を端子脚保持部で保持することができて、端子台の装着をより確実に行うことができる。
【図面の簡単な説明】
【図１】（１）は本発明に係わる端子台取付構造を備えた制御機器の上面図である。
（２）は同制御機器の左側面図である。
（３）は同制御機器の下面図である。
【図２】（１）は同制御機器の正面図である。
（２）は同制御機器の後面図である。
【図３】同制御機器の分解状態の斜視図である。
【図４】同制御機器の第１のケースの平面図である。
【図５】図４のＡ方向からの矢視図である。
【図６】図４のＢ−Ｂ線に沿う断面図である。
【図７】図４のＣ方向からの矢視図である。
【図８】同制御機器の第２のケースの平面図である。
【図９】図８のＤ−Ｄ線に沿う断面図である。
【図１０】図８のＥ方向からの矢視図である。
【図１１】（１）は第１の端子台の平面図である。
（２）は（１）のＨ方向からの矢視図である。
（３）は（１）のＩ方向からの矢視図である。
（４）は（１）のＪ方向からの矢視図である。
【図１２】（１）は第２，第３の端子台の平面図である。
（２）は（１）のＦ方向からの矢視図である。
（３）は（１）のＧ方向からの矢視図である。
【図１３】同制御機器のフロントモジュールの斜視図である。
【図１４】同制御機器のフロントモジュールの分解状態の斜視図である。
【図１５】従来の制御機器の分解状態の斜視図である。
【図１６】従来の制御機器の端子台取付構造の分解斜視図である。
【図１７】従来の制御機器の他の端子台取付構造の基板への取付状態の説明図である。
【図１８】図１７のＫ方向からの矢視図である。
【符号の説明】
１  第１のケース
２  第２のケース
５  第１の端子台
６  第２の端子台
７  第３の端子台
９  基板ユニット
１３  第１の端子台装着部
３３  第２の端子台装着部
３４  第３の端子台装着部
７４  第１の端子
７５  第２の端子
７６  第３の端子
７４Ａ、７５Ａ、７６Ａ  端子脚部
【図１】
0003690020.tif 000002
【図２】
0003690020.tif 000003
【図３】
0003690020.tif 000004
【図４】
0003690020.tif 000005
【図５】
0003690020.tif 000006
【図６】
0003690020.tif 000007
【図７】
0003690020.tif 000008
【図８】
0003690020.tif 000009
【図９】
0003690020.tif 000010
【図１０】
0003690020.tif 000011
【図１１】
0003690020.tif 000012
【図１２】
0003690020.tif 000013
【図１３】
0003690020.tif 000014
【図１４】
0003690020.tif 000015
【図１５】
0003690020.tif 000016
【図１６】
0003690020.tif 000017
【図１７】
0003690020.tif 000018
【図１８】
0003690020.tif 000019